(57)【要約】  本発明は、スクリュー組立体の上下移動により搾汁物に含まれるパルプ量を調節することのできるジューサーに関し、中空のドラムと、前記ドラムの上部に配置されるカバーと、前記ドラムの内部に回転可能に装着されるスクリュー組立体とを含み、前記スクリュー組立体の上下移動により搾汁物に含まれるパルプ量が調節されることを特徴とするパルプ量調節可能なジューサーに関する。  【選択図】  【図１】
2016531648.tif 000002
【特許請求の範囲】
【請求項１】
中空のドラム１００と、
前記ドラム１００の内部に回転可能に装着されるスクリュー組立体２００とを含み、
前記スクリュー組立体２００は上下移動が可能であることを特徴とする、
ジューサー。
【請求項２】
前記スクリュー組立体２００は、前記スクリュー組立体２００の下部に設けられる搾汁網２３０を含み、
前記搾汁網２３０が上昇すると、前記ドラム１００の底面と前記搾汁網２３０の下端部間に間隙が形成されることを特徴とする、
請求項１に記載のジューサー。
【請求項３】
前記スクリュー組立体２００は、
スクリュー２５０と、
前記ドラム１００と前記スクリュー２５０間に位置する搾汁網２３０'とを含み、
前記搾汁網２３０'が上昇すると、前記ドラム１００の底面と前記搾汁網２３０'の下端部間に間隙が形成されることを特徴とする、
請求項１に記載のジューサー。
【請求項４】
前記スクリュー組立体２００の上下移動は調節可能であることを特徴とする、
請求項１〜３のいずれか１項に記載のジューサー。
【請求項５】
前記スクリュー組立体２００の断面積は、前記スクリュー組立体２００の下部へ行くほど小さくなることを特徴とする、
請求項１〜３のいずれか１項に記載のジューサー。
【請求項６】
前記ジューサーは、前記ドラム１００の上部に配置されるカバー４００をさらに含み、
前記スクリュー組立体２００は、前記スクリュー組立体２００の回転軸２１０線上で前記スクリュー組立体２００の上面２４０に位置する上部回転軸２２０を含み、
前記カバー４００の底面４８０には前記回転軸２２０が挿入される回転軸固定部４６０が位置し、
さらに前記回転軸固定部４６０は上下移動が可能であることを特徴とする、
請求項１に記載のジューサー。
【請求項７】
前記カバー４００の底面４８０と前記スクリュー組立体２００の上面２４０は離隔していることを特徴とする、
請求項６に記載のジューサー。
【請求項８】
前記回転軸固定部４６０は、前記カバー４００の底面４８０と前記スクリュー組立体２００の上面２４０の離隔距離Ｄの分だけ上下移動可能であることを特徴とする、
請求項６に記載のジューサー。
【請求項９】
前記スクリュー組立体２００は、前記回転軸固定部４６０の下面と前記スクリュー組立体２００の上面２４０の離隔距離Ｄの分だけ上下移動可能であることを特徴とする、
請求項６に記載のジューサー
【請求項１０】
前記回転軸固定部４６０の上下移動により前記スクリュー組立体２００の上下移動が調節されることを特徴とする、
請求項６に記載のジューサー。
【請求項１１】
前記ドラム１００は、
前記ドラム１００の内側底面から突出した案内部１１０と、
前記スクリュー組立体２００の下端部が挿入されるように前記内側底面から下方に陥没した案内溝１１５とを含み、
前記案内溝１１５の底面を基準に、前記案内部１１０の長さが前記案内溝１１５の長さより長いことを特徴とする、
請求項６に記載のジューサー。
【請求項１２】
前記カバー４００の底面４８０と前記スクリュー組立体２００の上面２４０の離隔距離Ｄは、前記案内溝１１５の底面から前記案内部１１０の上面までの距離Ｌより短いことを特徴とする、
請求項１１に記載のジューサー。
【請求項１３】
前記回転軸固定部４６０はブッシング（bushing）であることを特徴とする、
請求項６〜１２のいずれか１項に記載のジューサー。
【請求項１４】
前記カバー４００の内部にモータ４５０が装着され、
前記回転軸固定部４６０は前記モータ４５０に連結されることを特徴とする、
請求項６〜１２のいずれか１項に記載のジューサー。
【請求項１５】
前記回転軸固定部４６０の上下移動の程度を制御する調節部をさらに含むことを特徴とする、
請求項６〜１２のいずれか１項に記載のジューサー。
【発明の詳細な説明】
【技術分野】
【０００１】
本発明は、ジューサーに関し、さらに詳しくは、ジューサー内にスクリュー組立体が上下移動できる間隔を設け、その間隔を調節することによりジューサー作動時のスクリュー組立体の上下移動を調節し、スクリュー組立体の回転により生成される搾汁物に含まれるパルプ(pulp)量を調節することのできるジューサーに関する。
【背景技術】
【０００２】
健康的な生活のために家庭で青汁やジュースを手作りして飲むことが多くなってきており、そのために家庭で簡単に野菜や果物を用いて搾汁できる装置が多数開示されている。
【０００３】
そのような装置の１つがジューサーである。従来のジューサーは、カバー、カバーの下部に配置されるドラム、ドラムの内部に収容される搾汁網が備えられる網ドラム、網ドラム内で回転できるように挿入設置されるスクリュー、網ドラムを覆うように配置されるブラシ回転部などから構成されている。よって、スクリューが回転することにより網ドラムとの間で搾汁が行われ、発生した搾汁物は網ドラムを通過して排出される。
【０００４】
他のジューサーとして、ドラムと、ドラム内に回転可能に装着されるスクリュー組立体と、ドラムから排出される搾汁物及びパルプを収容する本体と、スクリュー組立体の下段の搾汁網とを含むジューサーがある。スクリュー組立体の回転によりドラムとの間で搾汁が行われ、生成された搾汁は搾汁網を介して搾汁網の内側に流動し、搾汁物とパルプに分離される。
【０００５】
一方、ジューサーのユーザは、純粋な搾汁物だけでなく、所定量のパルプを含んだ搾汁物を望む場合があり、さらに搾汁物内に含まれるパルプ量をユーザの好みで調節しようとすることがある。
【０００６】
従来技術においては、搾汁対象物を搾汁してパルプと搾汁物に分離し、必要な場合は手動で生成された搾汁物に分離されたパルプを加えなければならない。
【０００７】
搾汁対象物が搾汁される際に搾汁物のみを通過させる搾汁網に位置する搾汁孔の大きさを調節することにより搾汁物内に含まれるパルプ量を調節することができるが、必要に応じて搾汁網を交換しなければならず、搾汁物に含まれるパルプ量を調節できる範囲に限界があるという欠点がある。
【先行技術文献】
【特許文献】
【０００８】
【特許文献１】韓国公開特許第１０−２０１１−０１３８１０８号公報
【特許文献２】韓国公開特許第１０−２０１２−００４２６０６号公報
【発明の概要】
【発明が解決しようとする課題】
【０００９】
上記問題を解決するために、ジューサー作動時にパルプを搾汁物に含むことのできるジューサーを提供する。
【００１０】
また、ジューサー作動時に搾汁物に含まれるパルプ量の調節が可能なジューサーを提供する。
【００１１】
さらに、様々なジューサーの形態の全てに適用可能な技術を提案する。
【００１２】
さらに、ジューサーの作動によりスクリュー組立体の上下移動を制御できるジューサーを提供する。
【課題を解決するための手段】
【００１３】
上記課題を解決するために、本発明によるジューサーは、中空のドラム１００と、前記ドラム１００の内部に回転可能に装着されるスクリュー組立体２００とを含み、前記スクリュー組立体２００は上下移動が可能であることを特徴とする。
【００１４】
前記スクリュー組立体２００は、前記スクリュー組立体２００の下部に設けられる搾汁網２３０を含み、前記搾汁網２３０が上昇すると、前記ドラム１００の底面と前記搾汁網２３０の下端部間に間隙が形成されることを特徴とすることが好ましい。
【００１５】
前記スクリュー組立体２００は、スクリュー２５０と、前記ドラム１００と前記スクリュー２５０間に位置する搾汁網２３０'とを含み、前記搾汁網２３０'が上昇すると、前記ドラム１００の底面と前記搾汁網２３０'の下端部間に間隙が形成されることを特徴とすることが好ましい。
【００１６】
前記スクリュー組立体２００の上下移動は調節可能であることを特徴とすることが好ましい。
【００１７】
前記スクリュー組立体２００の断面積は、前記スクリュー組立体２００の下部へ行くほど小さくなることを特徴とすることが好ましい。
【００１８】
前記ジューサーは、前記ドラム１００の上部に配置されるカバー４００をさらに含み、前記スクリュー組立体２００は、前記スクリュー組立体２００の回転軸２１０線上で前記スクリュー組立体２００の上面２４０に位置する上部回転軸２２０を含み、前記カバー４００の底面４８０には前記回転軸２２０が挿入される回転軸固定部４６０が位置し、さらに前記回転軸固定部４６０は上下移動が可能であることを特徴とすることが好ましい。
【００１９】
前記カバー４００の底面４８０と前記スクリュー組立体２００の上面２４０は離隔していることを特徴とすることが好ましい。
【００２０】
前記回転軸固定部４６０は、前記カバー４００の底面４８０と前記スクリュー組立体２００の上面２４０の離隔距離Ｄの分だけ上下移動可能であることを特徴とすることが好ましい。
【００２１】
前記スクリュー組立体２００は、前記回転軸固定部４６０の下面とス前記クリュー組立体２００の上面２４０の離隔距離ｄの分だけ上下移動可能であることを特徴とすることが好ましい。
【００２２】
前記回転軸固定部４６０の上下移動により前記スクリュー組立体２００の上下移動が調節されることを特徴とすることが好ましい。
【００２３】
前記ドラム１００は、前記ドラム１００の内側底面から突出した案内部１１０と、前記スクリュー組立体２００の下端部が挿入されるように前記内側底面から下方に陥没した案内溝１１５とを含み、前記案内溝１１５の底面を基準に、前記案内部１１０の長さが前記案内溝１１５の長さより長いことを特徴とすることが好ましい。
【００２４】
前記カバー４００の底面４８０と前記スクリュー組立体２００の上面２４０の離隔距離Ｄは、前記案内溝１１５の底面から前記案内部１１０の上面までの距離Ｌより短いことを特徴とすることが好ましい。
【００２５】
前記回転軸固定部４６０はブッシング（bushing）であることを特徴とすることが好ましい。
【００２６】
前記カバー４００の内部にモータ４５０が装着され、前記回転軸固定部４６０は前記モータ４５０に連結されることを特徴とすることが好ましい。
【００２７】
前記回転軸固定部４６０の上下移動の程度を制御する調節部をさらに含むことを特徴とすることが好ましい。
【発明の効果】
【００２８】
本発明によるジューサーは作動時、パルプを含んだ搾汁物を生成することができる。具体的には、作動時にスクリュー組立体を上下移動させることのできるジューサーにより、所定量のパルプを含んだ搾汁物を生成することができる。
【００２９】
さらに、ユーザの必要に応じて、ジューサー作動時のスクリュー組立体の上下移動を調節することにより、搾汁物内に含まれるパルプ量を調節することができる。
【図面の簡単な説明】
【００３０】
【図１】本発明によるジューサーを上方から見た分解斜視図である。
【図２】本発明によるジューサーを下方から見た分解斜視図である。
【図３】本発明によるジューサーの停止状態の垂直断面図である。
【図４】本発明の一実施形態の第１様相におけるジューサーの作動状態の垂直断面図である。
【図５】本発明の一実施形態の第１様相と第２様相の中間段階におけるジューサーの作動状態の垂直断面図である。
【図６】本発明の一実施形態の第２様相におけるジューサーの作動状態の垂直断面図である。
【図７】本発明の他の実施形態におけるジューサーの作動状態の垂直断面図である。
【発明を実施するための形態】
【００３１】
図面を参照して、本発明について詳細に説明する。その過程において、図面中の線の太さや構成要素の大きさなどは、説明の明瞭さと便宜上誇張して図示する場合がある。
【００３２】
また、後述する用語は、本発明における機能を考慮して定義された用語であり、それらは使用者、運用者の意図又は慣例により異なることがある。よって、これらの用語の定義は、本明細書の全般にわたる内容に基づいてなされるべきである。
【００３３】
本発明における用語「搾汁」は、明細書全体を通して、注入された材料の切断、粉砕、圧搾及び／又は搾汁物抽出の全段階を包括するものと理解されるべきである。
【００３４】
本発明において、材料が搾汁されると「搾汁物」と「パルプ」が生成されることが記述されている。「搾汁物」とは、ユーザが材料を搾汁して飲用する対象を意味するものと理解されるべきであり、「パルプ)」とは、搾汁物が搾汁された後の残滓であり、一般に外部に排出される対象を意味するものと理解されるべきである。
【００３５】
１．ジューサーの一般的な構成要素及び作動方法についての説明
図１、図２を参照して、ジューサーの一般的な構成要素及び作動について説明する。従来技術の部分で前述したように、網ドラムがない場合とある場合の２つの形式が存在するが、ここでは網ドラムがなく、スクリューの下段に搾汁網が一体型となっている場合を中心に説明する。
【００３６】
（１）構成要素
本発明によるジューサー５００は、カバー４００と、カバー４００に締結されるドラム１００と、ドラム１００の内部に回転可能に配置されるスクリュー組立体２００と、ドラム１００の下部に結合される本体３００とを含む。
【００３７】
ドラム１００は、内部に空間を有する中空円筒状の容器構造であり、上段外面に形成される結合溝１５０と、ドラム１００の内部底面の中央を中心に所定直径を有する円形に突設される案内部１１０と、案内部１１０を基準に外側にスクリュー組立体２００の下端部が挿入されて案内される案内溝１１５と、案内溝１１５を基準に外側に形成される第１ガイド溝１１１と、案内部１１０を基準に内側に形成される第２ガイド溝１１２と、パルプ排出孔１２０と、搾汁物排出孔１３０と、パルプ流動管１２１と、搾汁物流動管１３１と、ドラム１００の中央部に形成される防水円筒１４０とを含む。
【００３８】
結合溝１５０はドラム１００の上端部に形成されており、前記カバー４００に形成された結合部４３０に対応して締結されることにより、カバー４００とドラム１００が結合される。
【００３９】
第１ガイド溝１１１は、ドラム１００の中央を中心に前記案内溝１１５の外側に案内溝１１５より大きな直径を有する円形状に形成され、第１ガイド溝１１１にはドラム１００の底面を上下に貫通するパルプ排出孔１２０が形成される。
【００４０】
第２ガイド溝１１２は、ドラム１００の中央を中心に前記案内部１１０の内側に案内部１１０より小さな直径を有する円形状に形成され、第２ガイド溝１１２にはドラム１００の底面を上下に貫通する搾汁物排出孔１３０が形成される。
【００４１】
また、パルプ流動管１２１及び搾汁物流動管１３１が前記パルプ排出孔１２０及び搾汁物排出孔１３０にそれぞれ連通してドラム１００の外部に延設されるので、パルプ及び搾汁物を外部に容易に排出することができる。
【００４２】
防水円筒１４０は、所定の高さを有する円筒状であり、ドラム１００の内部の中心に貫通形成され、防水部材１４１を含む。
【００４３】
防水部材１４１は、前記防水円筒１４０の上部に取り付けられ、後述する回転軸２１０と防水円筒１４０間の隙間を塞ぐことにより、搾汁時の搾汁物の漏れを防止する。
【００４４】
スクリュー組立体２００は、前記ドラム１００の内部に設けられ、回転軸２１０と、回転軸２１０を囲む搾汁刃２２０と、搾汁網２３０と、ブラシ２７０とを含む。
【００４５】
前記回転軸２１０は、円筒形の回転体であり、上部回転軸２１１と、角形軸孔２１２とを含む。
【００４６】
上部回転軸２１１は、スクリュー組立体２００の中央を貫通する回転軸２１０線上でスクリュー組立体２００の上面２４０に回転軸２１０より小さな直径で突設され、後述するカバー４００に形成された回転軸固定部４６０に対応するように位置する。
【００４７】
角形軸孔２１２は、回転軸２１０の下部に前記上部回転軸２１１と同一軸線上に形成される。
【００４８】
よって、スクリュー組立体２００が前記ドラム１００の内部に設けられると、前記回転軸２１０がドラム１００に形成された防水円筒１４０を貫通して角形軸孔２１２と本体の角形軸３１０が結合される。
【００４９】
搾汁刃２２０は、スクリュー組立体２００の外周面に沿って回転する螺旋状に形成される。
【００５０】
搾汁網２３０は、スクリュー組立体２００の下部に設けられ、所定の高さを有する中空の円筒形に形成され、表面に複数の搾汁孔が貫通形成される。
【００５１】
前記搾汁孔の大きさや数は限定されるものではないが、前記ドラム１００とスクリュー組立体２００間で搾汁された搾汁物が搾汁孔を通過して前記第２ガイド溝１１２に流れるようにし、パルプが搾汁孔を通過できないようにして前記第１ガイド溝１１１に移動するようにするために、搾汁孔の大きさは搾汁物とパルプを分離できる大きさを考慮して製作することが好ましい。
【００５２】
ブラシ２７０は、スクリュー組立体２００と共に回転することにより、搾汁時に搾汁網２３０を通過して第２ガイド溝１１２に集められた搾汁物を押し流して搾汁物排出孔１３０に容易に排出されるようにする追加機能を有する。
【００５３】
カバー４００は、搾汁対象物が投入されるように中心から所定距離離隔してカバー４００の上部から下部まで貫通形成された注入口４１０と、底面の内径に沿って形成された結合部４３０と、前記注入口４１０への搾汁対象物の注入を助ける棒状の注入棒４２０とを含む。
【００５４】
（２）動作の説明
ジューサー５００のスイッチを入れてジューサー５００に電源が印加されると、本体３００の内部のモータが駆動され、モータに備えられた角形軸３１０が回転して、角形軸３１０に連結された回転軸２１０に回転力が伝えられる。
【００５５】
よって、回転軸２１０と結合したスクリュー組立体２００がドラム１００内で回転することにより、ジューサー５００の作動が開始される。
【００５６】
ジューサー５００が作動時すると、前記カバー４００に形成された注入口４１０に注入棒４２０を用いて搾汁対象物を注入し、注入した搾汁対象物がスクリュー組立体２００に達して、搾汁刃２２０により粉砕及び搾汁が開始される。
【００５７】
搾汁が開始されると、搾汁物は搾汁網２３０に形成された搾汁孔を通過してスクリュー組立体２００の内部に流入し、流入した搾汁物は前記ドラム１００の底面内側に形成された第２ガイド溝１１２に集まり、集まった搾汁物は搾汁物排出孔１３０を通じて搾汁物流動管１３１に流れてジューサー５００の外に排出され、それをユーザが飲用する。
【００５８】
一方、パルプは搾汁網２３０に形成された搾汁孔を通過することができないので、搾汁網２３０の外面とドラム１００の内壁に沿って下降し、下降したパルプは前記ドラム１００の底面外側に形成された第１ガイド溝１１１に集まり、集まったパルプはパルプ排出孔１２０を通じてパルプ流動管１２１を経てジューサー５００の外に排出される。
【００５９】
２．本発明によるパルプ量調節機能の説明
（１）搾汁網一体型の場合
ユーザは搾汁物に含まれるパルプの量を調節することができる。
【００６０】
例えば、搾汁物にパルプを多く入れたい場合、すなわちパルプ量を増加させたい場合は、後述する回転軸固定部４６０を最大限上昇させればよく、この場合を第１様相という（ｄ＝Ｄ，図３、図４参照）。搾汁物にパルプを適度に入れたい場合は、それを調節してやや下降させることができる（０＜ｄ＜Ｄ，図５参照）。それに対して、搾汁物にパルプを全く入れたくない場合、すなわち従来の一般的なジューサーのように作動させたい場合は、回転軸固定部４６０を最大限下降させればよく、この場合を第２様相という（ｄ＝０，図６参照）。
【００６１】
図３、図４を参照して、第１様相について説明する。
【００６２】
カバー４００の底面４８０の中央には、上部回転軸２１１に対応してジューサー作動時に上部回転軸２１１が挿入される回転軸固定部４６０が位置し、この回転軸固定部４６０は上下移動することができる。すなわち、回転軸固定部４６０は、カバー４００の底面４８０の中央に位置し、必要に応じて底面４８０の下方に移動することができる。
【００６３】
回転軸固定部４６０の上下移動を可能にするためには、スクリュー組立体２００の上面２４０とカバー４００の底面４８０は所定距離離隔していなければならず、その離隔距離Ｄ内で回転軸固定部４６０は上下移動することができる。
【００６４】
上面２４０と底面４８０間の離隔距離Ｄは、案内溝１１５の底面から案内部１１０の上面までの距離Ｌより短いことが好ましい。上面２４０と底面４８０間の離隔距離Ｄが案内溝１１５の底面から案内部１１０の上面までの距離Ｌより長いと、ジューサー５００作動時にスクリュー組立体２００が案内部１１０より高く上昇することがあり、それにより生成されたパルプが全て搾汁物に含まれる場合があるので、搾汁物に含まれるパルプ量を調節できないという問題がある。
【００６５】
本発明によるジューサー５００の案内溝１１５の長さは約３．５ｍｍである。よって、カバー４００の底面４８０とスクリュー組立体２００の上面２４０の離隔距離は３．５ｍｍ以下となる。ジューサー５００作動時にスクリュー組立体２００がパルプ量の圧力により押し上げられるように上方に移動することがあるが、案内溝１１５の長さに相当する距離だけ上方に移動できるようにすることにより、搾汁物に含まれるパルプ量を調節することができる。
【００６６】
回転軸固定部４６０はブッシング（bushing）であってもよい。すなわち、底面４８０の中央において、カバー４００の内部にスクリュー状に形成されたブッシングが位置し、ブッシングはカバー４００の内部で回転により上下移動することができる。
【００６７】
カバー４００の内部にはモータ４５０が装着されて回転軸固定部４６０に連結することができ、回転軸固定部４６０はモータ４５０により回転しながら上下移動することができる。
【００６８】
このようなモータ４５０は外部に装着される調節部（図示せず）により制御できるが、ユーザはジューサー調節部（図示せず）を用いてモータ４５０の作動を制御し、回転軸固定部４６０の上下移動を調節することにより、回転軸固定部４６０と上面２４０間の距離ｄを調節することができ、それにより搾汁物に含まれるパルプ量を調節することができる。
【００６９】
また、回転軸固定部４６０は、調節部（図示せず）によって手動で調節することができる。
【００７０】
一方、図３に示す第１様相は、回転軸固定部４６０の下面が底面４８０に一致した状態である（ｄ＝Ｄ）。底面４８０とスクリュー組立体２００の上面２４０は離隔しており、上部回転軸２１１と回転軸固定部４６０も離隔しているので、離隔距離Ｄの分だけスクリュー組立体２００を上下移動させることができる（図３）。
【００７１】
ジューサー５００作動時に搾汁対象物が搾汁されると、パルプは搾汁網２３０の外面とドラム１００の内壁間を重力により自然に下降するが、パルプが下降するほどドラム１００と搾汁網２３０の間隔が狭くなるので、パルプはドラム１００の下部及びスクリュー組立体２００の下部に圧力を加える。
【００７２】
このような圧力によりスクリュー組立体２００は押し上げられるように上方に移動し、最大では離隔距離Ｄの分だけ上昇するので、スクリュー組立体２００の下部に設けられた搾汁網２３０とドラム１００の底面間にパルプが流入され得る間隙が形成される。形成される間隙の最大の長さは離隔距離Ｄである（図４）。
【００７３】
ドラム１００の下部とスクリュー組立体２００の下部に加えられる圧力によりパルプが前述した間隙に流入し、さらに案内部１１０を通過して第２ガイド溝１１２に流入する。よって、第２ガイド溝１１２に集められた搾汁物に多量のパルプが含まれる。
【００７４】
この場合、搾汁物に含まれるパルプの量は最大になる。
【００７５】
図５を参照して、第１様相と第２様相の中間段階について説明する。
【００７６】
ユーザが調節部（図示せず）を操作して回転軸固定部４６０の下面が底面４８０より若干より下降するように設定した場合（０＜ｄ＜Ｄ）、回転軸固定部４６０の下面とスクリュー組立体２００の上面２４０は依然として離隔しており、上部回転軸２１１と回転軸固定部４６０も依然として離隔しているので、離隔距離ｄの分だけスクリュー組立体２００を上下移動させることができる。
【００７７】
よって、前述した圧力によりスクリュー組立体２００が押し上げられるように上方に移動するが、回転軸固定部４６０の下面とスクリュー組立体２００の上面２４０間の離隔距離ｄの分だけ上下移動することができる。
【００７８】
このように離隔距離ｄの分だけスクリュー組立体２００が上昇することにより、搾汁網２３０とドラム１００の底面間にパルプが流入する間隙が形成される。形成される間隙の最大の長さは離隔距離ｄである。
【００７９】
この場合もパルプが搾汁物に含まれるが、含まれる量は第１様相より少量になる。
【００８０】
図６を参照して、第２様相について説明する。
【００８１】
回転軸固定部４６０が底面４８０の下方に下降して回転軸固定部４６０とスクリュー組立体２００の上面２４０が接した状態である（ｄ＝０）。底面４８０とスクリュー組立体２００の上面２４０が離隔しているが、上部回転軸２１１が回転軸固定部４６０に挿入されて固定されているので、ジューサー５００作動時にスクリュー組立体２００は上下移動することができない。
【００８２】
よって、ジューサー５００作動時に搾汁対象物が搾汁されてパルプが搾汁網２３０の外面とドラム１００の内壁に沿って下降することにより、ドラム１００の下部及びスクリュー組立体２００の下部に圧力を加えても、回転軸固定部４６０に挿入された上部回転軸２１１が固定されているので、スクリュー組立体２００が押されるように上方に移動することはできない。
【００８３】
搾汁網２３０の下端部はドラム１００の底から離隔していないので、パルプが流入する間隙が形成されていない。すなわち、第１ガイド溝に集まったパルプが搾汁物の位置する第２ガイド溝に流入しないので、搾汁物にパルプが含まれない。
【００８４】
要するに、ユーザは調節部（図示せず）を操作することにより距離ｄを調節することができるので、搾汁物に含まれるパルプ量を簡便に調節することができる。
【００８５】
（２）搾汁網分離型の場合（別途の網ドラム）
図７を参照して、搾汁網分離型の場合について説明する。
【００８６】
搾汁網一体型と同じ部分についての説明は省略する。
【００８７】
スクリュー組立体２００は、スクリュー２５０と、搾汁網２３０'とを含む。以下、具体的には、ドラム１００と、スクリュー２５０と、搾汁網２３０'間における本発明の作動について説明する。
【００８８】
ジューサー５００作動時に搾汁対象物は搾汁網２３０'の内壁とスクリュー２５０間を下降するが、パルプは搾汁されると同時に徐々に狭くなる搾汁網２３０'の内壁とスクリュー２５０間を下降する。
【００８９】
下降しながら搾汁された搾汁物は 搾汁網２３０'を通過して外部に排出されるが、パルプ量は徐々に狭くなる搾汁網２３０'とドラム１００の内壁間を下降するので、搾汁網２３０'に圧力を加える。
【００９０】
このような圧力により、搾汁網２３０'が押し上げられるように上方に移動する。搾汁網２３０'が押し上げられるように上昇すると、搾汁網２３０'とドラム１００の底面間にパルプが流入する間隙が形成される。このように形成された間隙からパルプが流入して搾汁物に含まれる。
【００９１】
ここで、搾汁網２３０'とスクリュー２５０を連結する固定部材（図示せず）によりスクリュー２５０も共に上昇するが、スクリュー２５０の上下移動は回転軸固定部４６０により制限され、搾汁網２３０'の上下移動も制限される。すなわち、回転軸固定部４６０の上下移動を調節してスクリュー２５０の上下移動を調節することにより、搾汁網２３０'の上下移動を調節する。
【００９２】
よって、搾汁網２３０'が上昇する範囲を調節することにより、搾汁物に含まれるパルプの量を調節することができる。
【００９３】
以上、本発明を当業者が容易に理解して再現できるように、図面に示す実施例を挙げて説明したが、これらは例示的なものにすぎず、当業者であれば本発明の実施例から様々な変形及び均等な他の実施例が可能であることを理解するであろう。よって、本発明の保護範囲は請求の範囲により決定されるべきである。
【図１】
2016531648.tif 000003
【図２】
2016531648.tif 000004
【図３】
2016531648.tif 000005
【図４】
2016531648.tif 000006
【図５】
2016531648.tif 000007
【図６】
2016531648.tif 000008
【図７】
2016531648.tif 000009
【国際調査報告】
2016531648.tif 000010
2016531648.tif 000011
2016531648.tif 000012
2016531648.tif 000013
2016531648.tif 000014
2016531648.tif 000015